(57)【特許請求の範囲】
【請求項１】
撮像部により取得されたライブビュー画像を表示部に表示する表示制御手段と、
予め記憶された被写体の特徴を示す特徴データに基づき、前記ライブビュー画像から注目被写体を検出する検出手段と、
前記注目被写体に対応する補正データを記憶した第１の記憶手段と、
前記第１の記憶手段に記憶された補正データに基づき、前記検出手段により検出された注目被写体を補正する補正手段と、
前記補正手段により補正された注目被写体を追加して補正する追加補正手段と、
前記撮像部により取得されて前記補正手段により注目被写体が補正された画像又は前記追加補正手段により追加して補正された画像を記録に供する記録制御手段と
を備え、
前記表示制御手段は、前記注目被写体のみを前記補正手段により補正された状態又は前記追加補正手段により追加して補正された状態にして、前記ライブビュー画像内における位置を変えることなく表示部に表示する
ことを特徴とする撮像装置。
【請求項２】
前記追加補正手段は、注目被写体、補正データの種類、又は補正データの値を独立して補正可能であることを特徴とする請求項１記載の撮像装置。
【請求項３】
前記検出手段が複数の注目被写体を検出した場合、所定の順序条件に基づき選択順序を設定する順序設定手段と、
前記順序設定手段により設定された選択順序に従って、前記複数の注目被写体の中からいずれか一つを選択する選択手段を備え、
前記補正手段は、前記選択手段により選択された注目被写体を補正することを特徴とする請求項１又は２に記載の撮像装置。
【請求項４】
前記選択手段は、前記複数の注目被写体の中からいずれか一つを選択する第１の選択手段と、
操作に応じて、前記第１の選択手段により選択された注目被写体以外の他の注目被写体を選択する第２の選択手段と、
を備えることを特徴とする請求項３記載の撮像装置。
【請求項５】
前記第１の記憶手段が記憶した前記補正データを変更する変更手段を備え、
前記補正手段は、前記変更手段により変更された補正データに基づき、前記選択手段が選択した注目被写体を補正することを特徴とする請求項３又は４記載の撮像装置。
【請求項６】
前記第１の記憶手段に記憶されている補正データを、前記変更手段による変更結果に従って書き換える記憶制御手段を備えることを特徴とする請求項５記載の撮像装置。
【請求項７】
前記特徴データを記憶した第２の記憶手段を備え、
前記検出手段は、前記第２の記憶手段に記憶された特徴データに基づき、前記注目被写体を検出することを特徴とする請求項１乃至４何れか一項に記載の撮像装置。
【請求項８】
前記複数の注目被写体の優先順位を記憶した第３の記憶手段を備え、
前記順序設定手段は、前記第３の記憶手段に記憶された優先順位を前記順序条件として、前記選択順序を設定することを特徴とする請求項３記載の撮像装置。
【請求項９】
撮像部と表示部とを備えた装置が有するコンピュータを、
前記撮像部により取得されたライブビュー画像を表示部に表示する表示制御手段と、
予め記憶された被写体の特徴を示す特徴データに基づき、前記ライブビュー画像から注目被写体を検出する検出手段と、
記憶部に記憶された補正データに基づき、前記検出手段により検出された注目被写体を補正する補正手段と、
前記補正手段により補正された注目被写体を追加して補正する追加補正手段と、
前記撮像部により取得されて前記補正手段により注目被写体が補正された画像又は前記追加補正手段により追加して補正された画像を記録に供する記録制御手段と
して機能させ、
前記表示制御手段は、前記注目被写体のみを前記補正手段により補正された状態又は前記追加補正手段により追加して補正された状態にして、前記ライブビュー画像内における位置を変えることなく表示部に表示する
ことを特徴とする撮像制御プログラム。
【請求項１０】
撮像部により取得されたライブビュー画像を表示部に表示する表示制御ステップと、
予め記憶された被写体の特徴を示す特徴データに基づき、前記ライブビュー画像から注目被写体を検出する検出ステップと、
記憶部に記憶された補正データに基づき、前記検出手段により検出された注目被写体を補正する補正ステップと、
前記補正ステップにより補正された注目被写体を追加して補正する追加補正ステップと、
前記撮像部により取得されて前記補正ステップにより注目被写体が補正された画像又は前記追加補正ステップにより追加して補正された画像を記録に供する記録制御ステップと
を備え、
前記表示制御ステップは、前記注目被写体のみを前記補正ステップにより補正された状態又は前記追加補正ステップにより追加して補正された状態にして、前記ライブビュー画像内における位置を変えることなく表示部に表示する
ことを特徴とする撮像制御方法。
【発明の詳細な説明】
【技術分野】
【０００１】
本発明は、撮像装置、この撮像装置を制御するためのプログラム、及び撮像制御方法に関する。
【背景技術】
【０００２】
従来、一般的な画像補正装置、例えば肌を美しく写すための補正においては、画像中に複数の人物が存在する場合であっても、入力された画像の明るさや色調の補正は画像全体に一律に行われる。したがって、例えば画像中に男性と女性とが含まれている場合に、女性の肌を白くするためには、画像全体を明るくせざるを得ず、画像全体を明るくすると男性の肌が必要以上に白く補正されてしまう。
【０００３】
そこで、画像に含まれる複数の顔の各々に対して所望の補正をすることができる画像補正装置が提案されている。この画像補正装置は、入力画像に含まれる顔を各々検出し、この検出された複数の顔のうち、いずれか一つの顔を選択して、この選択した顔を美肌調整する。したがって、この画像補正装置によれば、画像全体に対して補正を行うのではなく、順次選択した顔に対して異なる美肌調整を行うことができ、画像に含まれる複数の顔の各々に対して所望の画像補正を施すことができる（例えば下記特許文献１参照）。
【０００４】
他方、今日においては、自分の子供等の特定人物を予め登録しておき、ライブビュー画像（ビデオスルー画像）中において登録した人物を認識し、この認識した人物に対して自動的にピントを合わせたり、追尾する撮像装置が実用化されるに至っている。
【先行技術文献】
【特許文献】
【０００５】
【特許文献１】特開２００９−１２４２３１号公報
【発明の概要】
【発明が解決しようとする課題】
【０００６】
ところで、撮像装置に前述した画像補正技術を採用した場合、美肌調整する作業は撮影時までに完了しなければならない。つまり被写体となる人物が並んでシャッター操作を待っているシャッターチャンス内において、美肌調整作業を完了させなければ、画像に含まれる複数の顔の各々に対して所望の画像補正を行った画像を撮像することはできない。しかし、前述した画像補正技術をそのまま撮像装置に採用すると、美肌調整する人物を選択する作業等を伴うことから、シャッターチャンス内で、美肌調整を完了することが困難となるという問題があった。
【０００７】
本発明は、かかる従来の課題に鑑みてなされたものであり、撮影時において特定の人物の美肌調整を迅速に行うことのできる撮像装置、撮像制御プログラム及び撮像制御方法を提供することを目的とする。
【課題を解決するための手段】
【０００８】
前記課題を解決するため、請求項１記載の発明に係る撮像装置にあっては、撮像部により取得されたライブビュー画像を表示部に表示する表示制御手段と、予め記憶された被写体の特徴を示す特徴データに基づき、前記ライブビュー画像から注目被写体を検出する検出手段と、前記注目被写体に対応する補正データを記憶した第１の記憶手段と、前記第１の記憶手段に記憶された補正データに基づき、前記検出手段により検出された注目被写体を補正する補正手段と、前記補正手段により補正された注目被写体を追加して補正する追加補正手段と、前記撮像部により取得されて前記補正手段により注目被写体が補正された画像又は前記追加補正手段により追加して補正された画像を記録に供する記録制御手段とを備え、前記表示制御手段は、前記注目被写体のみを前記補正手段により補正された状態又は前記追加補正手段により追加して補正された状態にして、前記ライブビュー画像内における位置を変えることなく表示部に表示することを特徴とする。
また、請求項２記載の発明に係る撮像装置にあっては、前記追加補正手段は、注目被写体、補正データの種類、又は補正データの値を独立して補正可能であることを特徴とする。
【０００９】
また、請求項３記載の発明に係る撮像装置にあっては、前記検出手段が複数の注目被写体を検出した場合、所定の順序条件に基づき選択順序を設定する順序設定手段と、前記順序設定手段により設定された選択順序に従って、前記複数の注目被写体の中からいずれか一つを選択する選択手段を備え、前記補正手段は、前記選択手段により選択された注目被写体を補正することを特徴とする。
【００１０】
また、請求項４記載の発明に係る撮像装置にあっては、前記選択手段は、前記複数の注目被写体の中からいずれか一つを選択する第１の選択手段と、操作に応じて、前記第１の選択手段により選択された注目被写体以外の他の注目被写体を選択する第２の選択手段と、を備えることを特徴とする。
【００１３】
また、請求項５記載の発明に係る撮像装置にあっては、前記第１の記憶手段が記憶した前記補正データを変更する変更手段を備え、前記補正手段は、前記変更手段により変更された補正データに基づき、前記選択手段が選択した注目被写体を補正することを特徴とする。
【００１４】
また、請求項６記載の発明に係る撮像装置にあっては、前記第１の記憶手段に記憶されている補正データを、前記変更手段による変更結果に従って書き換える記憶制御手段を備えることを特徴とする。
【００１５】
また、請求項７記載の発明に係る撮像装置にあっては、前記特徴データを記憶した第２の記憶手段を備え、前記検出手段は、前記第２の記憶手段に記憶された特徴データに基づき、前記注目被写体を検出することを特徴とする。
【００１６】
また、請求項８記載の発明に係る撮像装置にあっては、前記複数の注目被写体の優先順位を記憶した第３の記憶手段を備え、前記順序設定手段は、前記第３の記憶手段に記憶された優先順位を前記順序条件として、前記選択順序を設定することを特徴とする。
【００２１】
また、請求項９記載の発明に係る撮像制御プログラムにあっては、撮像部と表示部とを備えた装置が有するコンピュータを、前記撮像部により取得されたライブビュー画像を表示部に表示する表示制御手段と、予め記憶された被写体の特徴を示す特徴データに基づき、前記ライブビュー画像から注目被写体を検出する検出手段と、記憶部に記憶された補正データに基づき、前記検出手段により検出された注目被写体を補正する補正手段と、前記補正手段により補正された注目被写体を追加して補正する追加補正手段と、前記撮像部により取得されて前記補正手段により注目被写体が補正された画像又は前記追加補正手段により追加して補正された画像を記録に供する記録制御手段として機能させ、前記表示制御手段は、前記注目被写体のみを前記補正手段により補正された状態又は前記追加補正手段により追加して補正された状態にして、前記ライブビュー画像内における位置を変えることなく表示部に表示することを特徴とする。
【００２２】
また、請求項１０記載の発明に係る撮像制御方法にあっては、撮像部により取得されたライブビュー画像を表示部に表示する表示制御ステップと、予め記憶された被写体の特徴を示す特徴データに基づき、前記ライブビュー画像から注目被写体を検出する検出ステップと、記憶部に記憶された補正データに基づき、前記検出手段により検出された注目被写体を補正する補正ステップと、前記補正ステップにより補正された注目被写体を追加して補正する追加補正ステップと、前記撮像部により取得されて前記補正ステップにより注目被写体が補正された画像又は前記追加補正ステップにより追加して補正された画像を記録に供する記録制御ステップとを備え、前記表示制御ステップは、前記注目被写体のみを前記補正ステップにより補正された状態又は前記追加補正ステップにより追加して補正された状態にして、前記ライブビュー画像内における位置を変えることなく表示部に表示する
ことを特徴とする。
【発明の効果】
【００２３】
本発明によれば、予め記憶された被写体の特徴を示す特徴データに基づきライブビュー画像中の注目被写体が検出されて、補正可能状態となることから、シャッターチャンス時に美肌調整等の補正を行う注目被写体を選択する作業を軽減することができる。したがって撮影者は、シャッターチャンス内において、注目被写体の美肌調整等の補正を適正且つ容易に完了することができ、美肌調整等の補正を行った画像をより確実に記録することが可能となる。
【００２４】
また、本発明によれば、予め記憶された被写体の特徴を示す特徴データに基づきライブビュー画像中の注目被写体が検出され且つ特定されて、補正可能状態となることから、ライブビュー画像中に複数の注目被写体が存在する場合であっても、シャッターチャンス時に美肌調整等の補正を行う注目被写体を選択する作業を軽減することができる。したがって撮影者は、ライブビュー画像中に複数の注目被写体が存在する場合であっても、シャッターチャンス内において、特定された注目被写体の美肌調整等の補正を適正且つ容易に完了することができ、美肌調整等の補正を行った画像をより確実に記録することが可能となる。
【図面の簡単な説明】
【００２５】
【図１】本発明の一実施の形態に係る撮像装置の概略構成を示すブロック図である。
【図２】記録テーブルを示す概念図である。
【図３】本発明の第１の実施の形態における補正撮影処理の手順を示すフローチャートである。
【図４】同実施の形態における選択順番設定処理のサブルーチンを示すフローチャートである。
【図５】同実施の形態における追加補正処理のサブルーチンを示すフローチャートである。
【図６】同実施の形態における選択変更処理のサブルーチンを示すフローチャートである。
【図７】同実施の形態の表示遷移図である。
【図８】同実施の形態における異なる補正データ種毎の表示遷移図である。
【図９】本発明の第２の実施の形態における補正撮影処理の手順を示すフローチャートである。
【図１０】同実施の形態における追加補正処理のサブルーチンを示すフローチャートである。
【図１１】同実施の形態における選択変更処理のサブルーチンを示すフローチャートである。
【図１２】同実施の形態の表示遷移図である。
【図１３】同実施の形態における異なる補正データ種毎の表示遷移図である。
【発明を実施するための形態】
【００２６】
以下、本発明の実施形態について説明する。図１は、本発明の一実施の形態に係る撮像装置１の概略構成を示すブロック図である。この撮像装置１は、撮像光学部２、撮像部３及び輝度測定部４を備えている。撮像光学部２は、光学部材を実装するレンズユニットであり、光軸上にコーティングレンズ２１、ズームレンズ２２、及びフォーカスレンズ２３を備える。
【００２７】
コーティングレンズ２１は、撮像光学部２の最前面に搭載されている光学部材であり、被写体方向前側表面に特殊コーティングが施されている。ズームレンズ２２は、ズームレンズ移動部ＺＭにより駆動され、ズームレンズ移動部ＺＭはズームレンズ２２を駆動するモータを備える。フォーカスレンズ２３は、フォーカスレンズ移動部ＦＭにより駆動され、フォーカスレンズ移動部ＦＭはフォーカスレンズ２３を駆動するモータを備える。
【００２８】
撮像部３は、撮像光学部２を通して被写体１１の光像を撮像する。したがって、撮像部３は、この被写体１１の光像を光電変換して光電変換信号を取得するＣＣＤまたはＣＭＯＳ等の撮像素子を備える。
【００２９】
この撮像部３は、取得した光電変換信号をＡＥ（自動露出補正）処理等に伴い増幅したアナログデータを得る。したがって、撮像部３は、このアナログデータをデジタルデータに変換するＡ／Ｄ変換部（ＡＤＣ）を備えている。このデジタルデータは、ＲＧＢデータである。
【００３０】
輝度測定部４は、撮像光学部２を通過した撮影光の輝度を測定する。したがって、輝度測定部４は、撮影光の輝度を測定するための、輝度センサを備える。
【００３１】
これら輝度測定部４、撮像部３及び前記ズームレンズ移動部ＺＭ及びフォーカスレンズ移動部ＦＭはバスライン１２に接続されており、バスライン１２には更に計時部８及びメイン表示制御部９が接続されている。計時部８は、計時部８は、現在時刻を計時するものである。
【００３２】
メイン表示制御部９は、各種データに基づき、各種画像や情報を表示させるようにメイン表示部１０を制御する。記録用画像を表示させる場合は、ＪＰＥＧデータに基づき画像を表示させるようにメイン表示部１０を制御し、ビューファインダ画像としてライブビュー画像（ビデオスルー画像ともいう）を表示させる場合は、ＲＧＢデータに基づき画像を表示させるようにメイン表示部１０を制御する。さらに、メイン表示制御部９は、後述する制御部５１からの指示に基づき動作することにより、メイン表示部１０に表示されたライブビュー画像中における注目被写体を拡大表示させたり、カーソルを表示させる等の処理も実行する。
【００３３】
また、この撮像装置１は、バスライン１２に接続された情報処理領域５、記録領域６及び操作入力領域７を備えている。情報処理領域５は、所定の情報の処理部を１つにまとめた領域であり、制御部５１、特殊演算部５２、画像圧縮部５３及び撮像処理部５４等が設けられている。制御部５１は、撮像装置１の各部を制御するＭＰＵ（Ｍｉｃｒｏ  Ｐｒｏｃｅｓｓｉｎｇ  Ｕｎｉｔ）である。なお、この制御部５１は、複数のチップから構成されていてもよい。特殊演算部５２は、所定の演算を行なうＭＰＵである。特殊演算部５２は、この所定の演算を行なうために専用に設けられており、この演算を高速に行なうことを可能にする。
【００３４】
撮像処理部５４は、ＲＧＢデータから、適宜画像処理を施したＹＵＶデータを生成する。
画像圧縮部５３は、撮像処理部５４が生成したＹＵＶデータから、ＪＰＥＧデータ等の記録用画像データを生成する。ＪＰＥＧデータとは、ＪＰＥＧ（Ｊｏｉｎｔ  ＰｈｏｔｏｇｒａｐｈｉｃＥｘｐｅｒｔ  Ｇｒｏｕｐ）が作成した規格に則り圧縮された画像データである。ここでは、記録用画像データはＪＰＥＧデータとする。なお、このＪＰＥＧデータの色基準（カラースペース）は、Ｅｘｉｆの仕様に基づき「ｓＲＧＢ」（ＩＥＣ国際規格）とする。
【００３５】
なお、情報処理領域５に属する処理部は、夫々、物理的にも電気的にも、独立して構成しても、複数組み合わせて構成してもよい。また、１つの処理部が複数の処理部の機能を備える構成としても構わない。
【００３６】
前記記録領域６は、所定の記録部を１つにまとめた領域であり、外部記録装着部６１、保存記録装置６２及び一時記録装置６３等が設けられている。外部記録装着部６１は、外部記録装置６４を撮像装置１に装着するための接続部であり、好ましくは外部記録装置６４の着脱状態を検知する着脱検知部を備えている。外部記録装置６４は、外部記録装着部６１に装着されて情報を記録可能な不揮発性の記録媒体である。また、外部記録装置６４は、画像圧縮部５３で生成された撮影画像データを記録する。外部記録装置６４は、ＳＤメモリカードやＵＳＢメモリなどのフラッシュメモリ等の記録媒体である。本実施の形態においては、外部記録装置６４は、フラッシュＥＥＰＲＯＭとする。
【００３７】
保存記録装置６２は、制御部５１等で各種データを処理するための各種プログラムや各種設定等を記録しておくための、不揮発性の記録装置であり、一時記録装置６３は、制御部５１等で処理する各種データを仮に記録しておくための、揮発性の記録装置である。
【００３８】
なお、記録領域６に属する記録部は、夫々、物理的にも電気的にも、独立して構成しても、複数組み合わせて構成しても構わない。また、１つの記録部が複数の記録部の機能を備える構成としてもよい。
【００３９】
前記操作入力領域７は、所定の操作入力を行う入力部を１つにまとめた領域であり、撮影指示部７１、移動操作部７２、決定指示部７３、メニュー操作部７４、モード設定部、表示設定部７６及び電源操作部７７等が設けられている。撮影指示部７１は、１段目の操作ストローク（以下、「ハーフシャッター」と称す）と、２段目の操作ストローク（以下、「フルシャッター」と称す）との２段階の操作ストロークを有する釦式スイッチからなるシャッター釦である。
【００４０】
移動操作部７２は、例えば、撮像装置１に各種設定を行う際、入力カーソルを移動する。したがって、移動操作部７２は、上下左右の４方向や８方向を入力可能である、釦式スイッチ・レバー式スイッチ・半導体圧力センサなどのタッチセンサ・光位置センサの内の１つからなる。本実施の形態において移動操作部７２は、上下左右の方向（「↑」「↓」「←」「→」）を入力可能な１組の釦とする。決定指示部７３は、所定の入力状態において、撮影者による入力決定の指示を受ける。本実施の形態において、決定指示部７３は、押下を検出する釦式のスイッチとする。
【００４１】
メニュー操作部７４は、所定の状態において、撮影者による後述するメニュー画面の表示指示を受ける。ここでは、メニュー操作部７４は、押下を検出する釦式のスイッチとする。モード設定部７５は、撮影者による、後述する撮影モード、再生モードの切り替え指示を受ける。ここで、モード設定部７５は、スライド式のスイッチとする。表示設定部７６は、撮影者による表示部における表示状態の切替指示を受ける。ここで、表示切替部７６は、押下を検出する釦式のスイッチとする。
【００４２】
電源操作部７７は、撮影者による撮像装置１の電源ＯＮ／ＯＦＦの指示を受ける。ここで、電源操作部７７は、押下を検出する釦式のスイッチとする。なお、電源操作部７７の押下に基づき電源をＯＦＦが指示された場合には、現在の撮像装置１に係る各設定の状態を、ラストメモリとして保存記録装置６２に記録した後に電源をＯＦＦするように構成（ラストメモリ機能）することが望ましい。
【００４３】
そして、次回電源ＯＮが指示された場合には、この保存記録装置６２に記録されたラストメモリを読み出し、各設定を自動的に再設定するように構成することが望ましい。また、保存記録装置６２に記録されたラストメモリを読み出し各設定を再設定するか否かを、電源ＯＮ時に使用者に問い合わせるように構成しても良い。さらに、保存記録装置６２に記録されたラストメモリを読み出し各設定を再設定するか否かを、事前に使用者により設定しておくように構成しても良い。
【００４４】
なお、モード設定部７５は、電源操作部７７を兼ねても構わない。
【００４５】
図２は、前記保存記録装置６２に各種プログラム等とともに予め記憶されている登録テーブル６２１の記録データを示す概念図である。この登録テーブル６２１には、優先順位を示すデータである「優先順位」１〜５に対応して、「顔特徴データ」と「補正データ」とが記憶されている。「顔特徴データ」は、予め登録された各人物の顔の特徴を示すデータＫａ，Ｋｂ，Ｋｃ・・・であり、例えば男女の性別、人種、顔の輪郭（顔の形状）、顔の輪郭に対する目の位置等を示す記述的データあるいは、これらを数値に変換したデータ等である。また、「補正データ」としては、「赤度」、「青度」、「緑度」、「シャープネス」、「コントラスト」が各々「０」を基準として「＋」又は「−」の値で記憶されている。
【００４６】
（第１の実施の形態）
次に、第１の実施の形態における撮像装置１の動作について説明する。ユーザが電源操作部７７を操作して撮像装置１の電源をオンにした後、モード設定部７５にて撮影モードを設定すると、メイン表示部１０にはライブビュー画像が表示され始める。さらに、ユーザがこの撮影モードの状態でメニュー操作部７４を操作すると、メイン表示部１０は一旦メニュー画面の表示に切り替わり、メニュー画面から「補正撮影モード」を選択して、決定指示部７３を操作すると「補正撮影モード」の設定が完了する。すると、制御部５１はメイン表示部１０の表示状態をメニュー画面からライブビュー画像表示の状態に切り替えた後、保存記録装置６２に記憶されているプログラムに従って、図３のフローチャートに示す補正撮影モード処理を開始する実行する。
【００４７】
すなわち、前記メイン表示部１０に表示されているライブビュー画像において、顔認識処理を実行し、ライブビュー画像における注目被写体である人物の顔部分を検出する（ステップＳ１０１）。つまり、一時記録装置６３に一時的に記録されているライブビュー画像に対応する画像データに対して、輪郭抽出及び特徴点（特徴データ）の抽出を行って、人物の顔の形状の特徴を有する特徴情報との類似度を算出することで、ライブビュー画像中における人物の顔部分を認識する。
【００４８】
したがって、図７（Ａ）に示すように、メイン表示部１０に被写体人物Ｐ（１）、Ｐ（２）が存在するライブビュー画像ＬＶが表示されると、ステップＳ１０１での処理により、これら被写体人物Ｐ（１）、Ｐ（２）の顔部分が認識される。なお、図７及び後述する図８においては、複数の注目被写体である各人物Ｐ（１）、Ｐ（２）を、顔部分に相当する円と身体部分に相当する三角形とで簡略化して表している。
【００４９】
次に、前記登録テーブル６２１（図２）から記録データ、より詳しくは優先順位を示すデータである「優先順位」１〜５とこれに対応する顔特徴データＫａ，Ｋｂ，Ｋｃ・・・を読み出す（ステップＳ１０２）。さらに、この読み出した記録データに基づき、認識した顔に選択順番を設定する（ステップＳ１０３）。
【００５０】
図４は、このステップＳ１０３で実行される順番設定処理の詳細を示すサブルーチンである。順番処理に際しては、前記ステップＳ１０１で認識された被写体人物Ｐ（１）、Ｐ（２）を特定するための変数Ｎに初期値「１」を設定する（ステップＳ２０１）。次に、この変数Ｎの値により特定される被写体人物Ｐ（Ｎ）と、前記ステップＳ１０２で読み出された登録されている顔特徴データＫａ，Ｋｂ，Ｋｃ・・・とを順次比較する（ステップＳ２０２）。
【００５１】
つまり、登録テーブル６２１に予め被写体人物の顔特徴データＫａ，Ｋｂ，Ｋｃ・・・が登録してあるので、これら登録されている顔特徴データＫａ，Ｋｂ，Ｋｃ・・と検出した顔特徴データとを比較するという簡単な処理により、ライブビュー画像ＬＶに登録されている被写体人物が存在するか否かを検出することができる。
【００５２】
さらに、この比較結果に基づき、被写体人物Ｐ（Ｎ）の抽出顔特徴データと一致する登録顔特徴データＫ（Ｋａ，Ｋｂ，Ｋｃ・・・）があるか否か、又は、被写体人物Ｐ（Ｎ）の抽出顔特徴データとの一致度が所定以上の登録顔特徴データＫ（Ｋａ，Ｋｂ，Ｋｃ・・・）があるか否かを判断する（ステップＳ２０３）。そして、ある場合には当該登録顔特徴データＫａ，Ｋｂ，Ｋｃ・・・に対応する「優先順位」を読み出して、当該被写体人物Ｐ（Ｎ）に設定する（ステップＳ２０４）。
【００５３】
したがって、Ｎ＝１の状態において、図７に示した被写体人物Ｐ（１）の抽出顔特徴データが例えば登録顔特徴データＫａと一致し、又は登録顔特徴データＫａとの一致度が所定以上であった場合には、被写体人物Ｐ（１）の「優先順位」として、登録顔特徴データＫａに対応する優先順位「１」が設定されることとなる。
【００５４】
次に、前記ステップＳ１０１で抽出された全人物に対して以上の処理を終了したか否かを判断し（ステップＳ２０５）、終了していなければ変数Ｎの値をインクリメントして（ステップＳ２０６）、ステップＳ２０２からの処理を繰り返す。したがって、Ｎ＝２の状態において、図７に示した被写体人物Ｐ（２）の抽出顔特徴データが例えば登録顔特徴データＫｄと一致し、又は登録顔特徴データＫｄとの一致度が所定以上であった場合には、被写体人物Ｐ（２）の「優先順位」として、登録顔特徴データＫａに対応する優先順位「４」が設定されることとなる。
【００５５】
また、本例においては、図７に示したように、ライブビュー画像ＬＶ中には被写体人物Ｐ（１）、Ｐ（２）のみが存在することから、Ｎ＝２での処理が終了するとステップＳ２０５の判断がＹＥＳとなる。したがって、ステップＳ２０５からステップＳ２０７に進み、優先順位に従って選択順番を付与する。
【００５６】
つまり、本例においては、被写体人物Ｐ（１）の優先順位が「１」であり、被写体人物Ｐ（２）の優先順位が「４」であったので、優先順位に従って、被写体人物Ｐ（１）に選択順番「１番」を付与する。また、例えば被写体人物Ｐ（１）の優先順位が「４」であり、被写体人物Ｐ（２）の優先順位が「５」であった場合にも、優先順位に従って、被写体人物Ｐ（１）に選択順番「１番」を付与する。また、例えば被写体人物Ｐ（１）の優先順位が「５」であり、被写体人物Ｐ（２）は登録された人物ではない場合にも、優先順位に従って、被写体人物Ｐ（１）に選択順番「１番」を付与する。無論、例えば被写体人物Ｐ（１）の優先順位が「４」であり、被写体人物Ｐ（２）の優先順位が「１」であった場合には、優先順位に従って、被写体人物Ｐ（２）に選択順番「１番」を付与することになる。
【００５７】
したがって、このステップ２０７での処理により、ライブビュー画像ＬＶ内に存在する被写体人物のうち、最も優先順位が高い人物、最も優先度が高く優先的に美肌処理を施すべき人物に選択順番「１番」を付与することができる。
【００５８】
つまり、図４のフローチャートに示した選択順番設定処理が図３のフローチャートにおけるステップＳ１０３で実行されて、最も優先度が高く優先的に美肌処理を施すべき人物に選択順番「１番」として特定されるのである。よって、このステップＳ３の処理は、本発明における、予め記憶された被写体の特徴を示す特徴データに基づき、ライブビュー画像から注目被写体を検出し特定する検出手段を構成するのである。
【００５９】
そして、図３のフローチャートに戻り、ステップＳ１０３に続くステップＳ１０４においては、ライブビュー画像ＬＶ中において選択順番「１番」の被写体人物を選択し、選択した被写体人物を囲繞するカーソルを表示する。したがって、このステップＳ１０４での処理により、本例においては図７（Ｂ）に示すように、選択順番「１番」である被写体人物Ｐ（１）が選択されて、メイン表示部１０には当該被写体人物Ｐ（１）を囲繞するカーソル１０１が表示されることとなる。
【００６０】
次に、選択順番「１番」を拡大して表示させるとともに、この拡大画像を対応する補正性データにより補正する（ステップＳ１０５）。したがって、このステップＳ１０３での処理が実行されることにより、図７（Ｃ）に示すように、メイン表示部１０の一部に拡大表示枠１０３が表示されて、この拡大表示枠１０３内に拡大画像１０２が表示される。このとき、被写体人物Ｐ（１）が選択順番「１番」あり、この被写体人物Ｐ（１）は登録テーブル６２１の優先順位「１」に対応する人物であるとすると、この人物の登録されている補正データは「赤度：＋１」、「青度：０」、「緑度：０」、「シャープネス：＋２」、「コントラスト：＋２」であるので、これら補正データにより補正された被写体人物Ｐ（１）が拡大画像１０２として表示される。
【００６１】
よって、撮影者による作業を伴うことなく、登録テーブル６２１に記録されている好ましい補正データで被写体人物Ｐ（１）の補正を行うことができる。
【００６２】
また、図７（Ｄ）に示すように、被写体人物Ｐ（２）が選択順番「１番」あり、この被写体人物Ｐ（２）は登録テーブル６２１の優先順位「１」に対応する人物であるとすると、この人物の登録されている補正データは「赤度：＋１」、「青度：０」、「緑度：０」、「シャープネス：＋２」、「コントラスト：＋２」であるので、これら補正データ補正された被写体人物Ｐ（１）が拡大画像１０２として表示される。
【００６３】
したがって、撮影者はメイン表示部１０に表示された拡大画像１０２により、選択順番「１番」の被写体人物の補正状態を明瞭に表示することができ、撮影者は一見して選択順番「１番」の被写体人物の補正状態を確認することができる。
【００６４】
そして、このステップＳ１０５に続くステップＳ１０６では追加補正処理を実行する。さらに、撮影指示部７１がフルシャッター操作されることによる撮影指示があったか否かを判断し（ステップＳ１０７）、撮影指示があるまでステップＳ１０６の追加補正処理を繰り返す。
【００６５】
追加補正処理を行なうことによって更に、撮影者は、シャッターチャンス内において、注目被写体の美肌調整等の補正を適正且つ容易に完了することができ、美肌調整等の補正を行った画像をより確実に記録することが可能となる。
【００６６】
図５は、このステップＳ１０６で繰り返し実行される追加補正処理の詳細を示すサブルーチンである。まず、撮影者による移動操作部７２での上下キー（「↑」「↓」）の操作による補正データの値変更指示があったか否かを判断し（ステップＳ３０１）、前記操作による指示があった場合には当該値を変更する（ステップＳ３０２）。
【００６７】
つまり、移動操作部７２で上キー「↑」の操作があった場合には値を増加させ、下キー「↓」の操作があった場合には、値を減少させる。したがって、新たに値を入力する場合と比較して、ワンタッチ操作により、遙かに容易且つ迅速に補正データの値を設定変更することができる。
【００６８】
なお、本実施の形態においては補正データが「赤度」〜「コントラスト」までの５種類で構成されているが、この追加補正処理開始時のデフォルト状態では登録テーブル６２１の「赤度」の値を変更する状態に設定されている。したがって、この追加補正処理の開始直後に補正データの値を変更する操作があった場合（ステップＳ３０１→ＹＥＳ）には、登録テーブル６２１において前記選択順番「１番」である被写体人物（登録人物）の「赤度」の値が設定変更される。
【００６９】
次に、撮影者による表示設定部７６の押下により補正する種類を変更する操作、つまり補正する種類を「赤度」〜「コントラスト」のいずれかに変更する操作、があったか否かを判断する（ステップＳ３０３）。当該操作があった場合には補正する種類を変更する（ステップＳ３０４）。したがって、前述のように撮影指示があるまでこの図５のフローチャートに従って処理が繰り返され、ステップＳ３０１〜Ｓ３０４の処理が繰り返し実行されることにより、現時点で拡大表示されている被写体人物の登録補正データ「赤度」〜「コントラスト」の値を自在に変更して設定することができる。
【００７０】
しかも、登録テーブル６２１に予め登録されて優先順位の高い被写体人物が自動的に選択されていることから、美肌調整する人物を選択する作業等を伴うことがない。また、ライブビュー画像ＬＶ中に複数の予め登録された被写体人物が存在する場合であっても、優先順位の高い唯一の被写体人物が自動的に選択されていることから、美肌調整する人物を選択する作業等を伴うことがない。したがって撮影者は、シャッターチャンス内において撮像装置１を構えた状態で、特定の被写体人物の「赤度」〜「コントラスト」の値を迅速且つ簡単に変更して美肌調整を容易に完了することができる。
【００７１】
次に、撮影者による移動操作部７２での左右キー（「←」「→」）の操作による選択変更があったか否か、つまり左右キー（「←」「→」）の操作によりカーソル１０１を移動させて、カーソル１０１により囲繞され且つ拡大表示されている被写体人物から他の被写体人物への選択変更があったか否かを判断する（ステップＳ３０５）。選択変更がない場合には、ステップＳ３０６の選択変更処理を行うことなく、ステップＳ３０７に進む。
【００７２】
そして、ステップＳ３０７においては、前記ステップＳ３０１〜Ｓ３０４での処理により追加補正された補正データの値により、拡大画像１０２を補正する。したがって、図８（Ａ−１）に示すように、被写体人物Ｐ（１）がカーソル１０１により囲繞されて拡大表示されている状態において、当該被写体人物の顔を白くすべく、例えば赤度：−１、青度：−１、緑度：−１に補正データの値を変更すると、図示のように被写体人物Ｐ（１）の拡大画像１０２における顔部分が白色に補正されて表示される。
【００７３】
また、図８（Ｂ−１）に示すように、被写体人物Ｐ（１）がカーソル１０１により囲繞されて拡大表示されている状態において、当該被写体人物の顔のコントラストを高くすべく、補正データの「コントラスト」の値を増加させると、図示のように被写体人物Ｐ（１）の拡大画像１０２における顔部分のコントラストが補正されて表示される。
【００７４】
また、図８（Ｃ−１）に示すように、被写体人物Ｐ（１）がカーソル１０１により囲繞されて拡大表示されている状態において、当該被写体人物の顔のシャープネスを高くすべく、補正データの「シャープネス」の値を増加させると、図示のように被写体人物Ｐ（１）の拡大画像１０２における顔部分のシャープネスが補正されて表示される。
【００７５】
したがって、撮影者は選択された被写体人物の補正を自在に行うことができる。しかも撮影者が補正データの値を変更操作すれば、これに伴って拡大画像１０２が補正されて表示されることから、撮影者は補正データの値の変更がどのように画像に影響を及ぼすかを一見して明瞭に確認することができる。
【００７６】
他方、図７（Ｃ）に示すように、被写体人物Ｐ（１）を囲繞しているカーソル１０１を移動させて、同図（Ｄ）に示すように、被写体人物Ｐ（２）を囲繞している状態に変更操作すると、被写体人物の選択変更がなされたこととなり、ステップＳ３０５の判断がＹＥＳとなる。したがって、ステップＳ３０５からステップＳ３０６に進んで、選択変更処理を実行する。
【００７７】
つまり、移動操作部７２で左右キー（「←」「→」）を操作してカーソル１０１を移動させることにより、デフォルトで選択された被写体人物（被写体人物Ｐ（１））から、簡単に他の被写体人物に変更することができる。
【００７８】
図６は、この選択変更処理（ステップＳ３０６）の詳細を示すサブルーチンである。まず、現時点における拡大表示上の補正をライブビュー画像ＬＶに反映する（ステップＳ４０１）。したがって、図８（Ａ−１）に示すように、被写体人物Ｐ（１）の拡大画像１０２における顔部分が白色に補正されて表示されている状態で、被写体人物の変更操作を行うと、同図（Ａ−２）に示すように、これがライブビュー画像ＬＶ中の被写体人物Ｐ（１）に反映されて、当該被写体人物Ｐ（１）の顔が白色に補正される。
【００７９】
また、図８（Ｂ−１）に示すように、被写体人物Ｐ（１）の拡大画像１０２における顔部分がコントランストが補正されて表示されている状態で、被写体人物の変更操作を行うと、同図（Ｂ−２）に示すように、これがライブビュー画像ＬＶ中の被写体人物Ｐ（１）に反映されて、当該被写体人物Ｐ（１）の顔のコントランストが補正される。さらに、図８（Ｃ−１）に示すように、被写体人物Ｐ（１）の拡大画像１０２における顔部分がコントランストが補正されて表示されている状態で、被写体人物の変更操作を行うと、同図（Ｃ−２）に示すように、これがライブビュー画像ＬＶ中の被写体人物Ｐ（１）に反映されて、当該被写体人物Ｐ（１）の顔のシャープネスが補正される。
【００８０】
したがって、撮影者がこの補正された被写体人物Ｐ（１）が存在するライブビュー画像ＬＶを視認することより、背景の色や他の被写体人物の色等との関係において、被写体人物Ｐ（１）に対する補正が適切であるか否かを確認することができる。
【００８１】
次に、拡大表示を終了する（ステップＳ４０２）。これにより、図８（Ａ−２）、（Ｂ−２）（Ｃ−２）における拡大画像１０２が消去され、図８（Ａ−２）場合には被写体人物Ｐ（２）と顔が白色に補正され被写体人物Ｐ（１）とが存在するライブビュー画像ＬＶ、図８（Ｂ−２）場合には被写体人物Ｐ（２）と顔のコントランストが補正され被写体人物Ｐ（１）とが存在するライブビュー画像ＬＶ、図８（Ｃ−２）場合には被写体人物Ｐ（２）と顔のシャープネスが補正され被写体人物Ｐ（１）とが存在するライブビュー画像ＬＶとに切り替わる。
【００８２】
引き続き、指示された順番の画像、つまり今回カーソル１０１により囲繞されることとなった被写体人物、を拡大表示する（ステップＳ４０３）。また、登録テーブル６２１に今回選択された被写体人物の登録データがあるか否かを判断する（ステップＳ４０４）。そして、登録データがある場合には、当該登録されている補正データに基づき、拡大表示（拡大画像１０２）を補正する。しかる後に、撮影指示があるまで、つまり図３のフローチャートにおけるステップＳ１０７の判断がＹＥＳとなるまで、前述した追加補正処理（ステップＳ１０６）を繰り返す。
【００８３】
そして、撮影者が撮影指示部７１にてフルシャッター操作を行うと、ステップＳ１０７の判断がＹＥＳとなる。したがって、ステップＳ１０７からステップＳ１０８に進み撮影と記録処理とを実行する。この撮影と記録処理に際しては、登録テーブル６２１に記憶されている補正データ及び前記追加補正処理により追加、訂正された補正データに基づき補正されて一時記録装置６３に記憶されている撮影指示時点の画像（撮影指示時点の補正されているライブビュー画像ＬＶ）を画像圧縮部５３にて圧縮した後、外部記録装着部６１に記録する。これにより、特定の被写体人物の顔を美肌処理した画像を記録することができる。
【００８４】
引き続き、確認画像表示処理を行って、外部記録装着部６１に記録した画像をメイン表示部１０に所定数秒表示させる（ステップＳ１０９）。さらに、本モードである「補正撮影モード」の終了が指示されたか否かを判断する（ステップＳ１１０）。そして、「補正撮影モード」を継続している限り、ステップＳ１０１からの処理を繰り返し、「補正撮影モード」の終了が指示された時点でこのフローに従った処理を終了する。
【００８５】
なお、前述したステップＳ３０２で補正データの値を変更する際には、前述のように登録テーブル６２１に記憶されている値そのものを書き換えてもよいが、登録テーブル６２１に記憶されている値をそのものは書き換えることなく、拡大画像に用いる補正データや撮影と記録（ステップＳ１０８）に用いる補正のみを変更するようにしてもよい。
【００８６】
前者のように登録テーブル６２１に記憶されている値そのものを書き換えた場合には、今回の補正の値を後日の撮影時にも用いることができるメリットが生ずる。また、後者のように登録テーブル６２１に記憶されている値をそのものは書き換えることなく、拡大画像の補正に用いる補正データや撮影と記録（ステップＳ１０８）に用いる補正のみを変更した場合には、登録テーブル６２１に記憶されている値は基準データとして保存しておく一方、今回の補正を反映させた画像を撮影、記録することができる。
【００８７】
また、本実施の形態においては、被写体人物の選択変更がなされて、ステップＳ３０５の判断がＹＥＳとなった場合には、ステップＳ４０１で拡大表示上の補正をライブビュー画像に反映させるようにした。しかし、被写体人物の選択変更がなされも拡大表示上の補正をライブビュー画像に反映させることなく、決定指示部７３が操作されたことを条件に、拡大表示上の補正をライブビュー画像に反映させるようにしてもよい。これにより、撮影者は、追加補正をライブビュー画像に反映させるか否かを自己の判断で決定することができる。
【００８８】
（第２の実施の形態）
図９〜図１３は、本発明の第２の実施の形態を示すものである。本実施の形態は、前述した第１の実施の形態とは異なり、画像の拡大表示を行うことなく注目被写体の補正を行うようにするものである。図９は、本実施の形態における補正撮影モード処理の処理手順を示すフローチャートである。このフローチャートにおいて、ステップ５０５を除くＳ５０１〜Ｓ５０４、及びステップ５０６〜Ｓ５１０の処理は、前述した図３のフローチャートにおけるＳ１０１〜Ｓ１０４、及びステップ１０６〜Ｓ１１０の処理と同一である。
【００８９】
したがって、図１２（Ａ）に示すように、メイン表示部１０に被写体人物Ｐ（１）、Ｐ（２）が存在するライブビュー画像ＬＶが表示されると、ステップＳ５０１での処理により、これら被写体人物Ｐ（１）、Ｐ（２）の顔部分が認識される。なお、図１２及び後述する図１３においては、複数の注目被写体である各人物Ｐ（１）、Ｐ（２）を、顔部分に相当する円と身体部分に相当する三角形とで簡略化して表している。
【００９０】
また、ステップＳ５０３で実行される順番設定処理の詳細な手順も、第１の実施の形態と同様であり、前述の図４に示したサブルーチンに従って実行される。そして、ステップＳ５０３に続くステップＳ５０４においては、ライブビュー画像ＬＶ中において選択順番「１番」の被写体人物を選択し、選択した被写体人物を囲繞するカーソルを表示する。したがって、このステップＳ５０４での処理により、本例においては図１２（Ｂ）に示すように、選択順番「１番」である被写体人物Ｐ（１）が選択されて、メイン表示部１０には当該被写体人物Ｐ（１）を囲繞するカーソル１０１が表示されることとなる。
【００９１】
次に、選択順番「１番」の画像を対応する補正データにより補正する（ステップＳ５０５）。このとき、被写体人物Ｐ（１）が選択順番「１番」あり、この被写体人物Ｐ（１）は登録テーブル６２１の優先順位「１」に対応する人物であるとすると、この人物の登録されている補正データは「赤度：＋１」、「青度：０」、「緑度：０」、「シャープネス：＋２」、「コントラスト：＋２」であるので、カーソル１０１で囲繞されている被写体人物Ｐ（１）は、これら補正データにより補正されて表示される。そして、このステップＳ５０５に続くステップＳ５０６では追加補正処理を実行する。
【００９２】
図１０は、このステップ５０６で繰り返し実行される追加補正処理の詳細を示すサブルーチンである。このサブルーチンにおいて、ステップＳ６０７を除く、ステップ６０１〜Ｓ６０６の処理は、前述の図５に示したステップＳ３０１〜Ｓ３０６の処理と同一である。そして、唯一異なるステップＳ６０７においては、ステップＳ６０１〜Ｓ６０４での処理により追加補正された補正データの値により、カーソル１０１で囲繞されている画像（被写体人物）を補正する。したがって、図１３（Ａ−１）に示すように、被写体人物Ｐ（１）がカーソル１０１により囲繞されている状態において、当該被写体人物の顔を白くすべく、例えば赤度：−１、青度：−１、緑度：−１に補正データの値を変更すると、図１３（Ａ−２）に示すように被写体人物Ｐ（１）の顔部分が白色に補正されて表示される。
【００９３】
また、図１３（Ｂ−１）に示すように、被写体人物Ｐ（１）がカーソル１０１により囲繞されている状態において、当該被写体人物の顔のコントラストを高くすべく、補正データの「コントラスト」の値を増加させると、図１３（Ｂ−２）に示すように被写体人物Ｐ（１）の顔部分のコントラストが補正されて表示される。
【００９４】
また、図１３（Ｃ−１）に示すように、被写体人物Ｐ（１）がカーソル１０１により囲繞されている状態において、当該被写体人物の顔のシャープネスを高くすべく、補正データの「シャープネス」の値を増加させると、図１３（Ｃ−２）に示すように被写体人物Ｐ（１）の顔部分のシャープネスが補正されて表示される。
【００９５】
他方、図１２（Ｃ）に示すように、被写体人物Ｐ（１）を囲繞しているカーソル１０１を移動させて、同図（Ｄ）に示すように、被写体人物Ｐ（２）を囲繞している状態に変更操作すると、被写体人物の選択変更がなされたこととなり、ステップＳ６０５の判断がＹＥＳとなる。したがって、ステップＳ６０５からステップＳ６０６に進んで、選択変更処理を実行する。
【００９６】
つまり、移動操作部７２で左右キー（「←」「→」）を操作してカーソル１０１を移動させることにより、デフォルトで選択された被写体人物（被写体人物Ｐ（１））から、簡単に他の被写体人物に変更することができる。
【００９７】
図１１は、この選択変更処理（ステップＳ６０６）の詳細を示すサブルーチンである。登録テーブル６２１に今回選択された被写体人物の登録データがあるか否かを判断する（ステップＳ７０１）。そして、登録データがある場合には、当該登録されている補正データに基づき、カーソル１０１により囲繞されている画像を補正する。しかる後に、撮影指示があるまで、つまり図９のフローチャートにおけるステップＳ５０７の判断がＹＥＳとなるまで、前述した追加補正処理（ステップＳ５０６）を繰り返す。
【００９８】
そして、撮影者が撮影指示部７１にてフルシャッター操作を行うと、ステップＳ５０７の判断がＹＥＳとなる。したがって、ステップＳ５０７からステップＳ５０８に進み撮影と記録処理とを実行する。この撮影と記録処理に際しては、登録テーブル６２１に記憶されている補正データ及び前記追加補正処理により追加、訂正された補正データに基づき補正されて一時記録装置６３に記憶されている撮影指示時点の画像（撮影指示時点の補正されているライブビュー画像ＬＶ）を画像圧縮部５３にて圧縮した後、外部記録装着部６１に記録する。これにより、特定の被写体人物の顔を美肌処理した画像を記録することができる。
【００９９】
引き続き、確認画像表示処理を行って、外部記録装着部６１に記録した画像をメイン表示部１０に所定数秒表示させる（ステップＳ５０９）。さらに、本モードである「補正撮影モード」の終了が指示されたか否かを判断する（ステップＳ５１０）。そして、「補正撮影モード」を継続している限り、ステップＳ５０１からの処理を繰り返し、「補正撮影モード」の終了が指示された時点でこのフローに従った処理を終了する。
【符号の説明】
【０１００】
１    撮像装置
２    撮像光学部
３    撮像部
５    情報処理領域
６    記録領域
７    操作入力領域
１０    メイン表示部
５１    制御部
５３    画像圧縮部
５４    撮像処理部
６１    外部記録装着部
６２    保存記録装置
６３    一時記録装置
６４    外部記録装置
７１    撮影指示部
７２    移動操作部
７３    決定指示部
７４    メニュー操作部
７５    モード設定部
７６    表示切替部
７６    表示設定部
７７    電源操作部
１０１    カーソル
１０２    拡大画像
１０３    拡大表示枠
６２１    登録テーブル
【図１】
0005482030.tif 000002
【図２】
0005482030.tif 000003
【図３】
0005482030.tif 000004
【図４】
0005482030.tif 000005
【図５】
0005482030.tif 000006
【図６】
0005482030.tif 000007
【図７】
0005482030.tif 000008
【図８】
0005482030.tif 000009
【図９】
0005482030.tif 000010
【図１０】
0005482030.tif 000011
【図１１】
0005482030.tif 000012
【図１２】
0005482030.tif 000013
【図１３】
0005482030.tif 000014